(57)【要約】【課題】パワーバランス制御における下り回線の送信電力の基準値を適切に決定することが可能な移動通信システム、無線制御装置、基地局及び送信電力制御方法を提供する。【解決手段】ソフトハンドオーバ中の移動局５０との間に回線が設定されている各基地局１０は、下り送信電力値を無線制御装置３０へ通知する。無線制御装置３０は、ソフトハンドオーバ中の移動局５０との間に回線が設定されている各基地局１０が提供するセル２０のうち、通信品質が最良のセル２０を判定し、このセル２０を提供する基地局１０における下り送信電力値を基準値として決定して、各基地局１０毎のオフセット値を付加して通知する。各基地局１０は、下り送信電力値を、通知された基準値に近付くように制御する。【選択図】        図１
2004266781.tif 000002
【特許請求の範囲】
【請求項１】
複数の基地局と、前記各基地局を制御する無線制御装置とを有する移動通信システムにおいて、
前記各基地局は、
自局から移動局へ向かう下り回線の送信電力値を前記無線制御装置へ通知する送信電力値通知手段を備え、
前記無線制御装置は、
前記各基地局が提供するセルのうち、通信品質が良好なセルを判定するセル判定手段と、
前記セル判定手段により判定されたセルを提供する基地局における下り回線の送信電力値を基準値として決定する基準値決定手段と、
前記通信品質に基づいて、前記各基地局に対応するオフセット値を決定するオフセット値決定手段と、
前記基準値に前記オフセット値を付加するオフセット値付加手段と、
前記オフセット値が付加された基準値を、該オフセット値に対応する前記基地局へ通知する基準値通知手段と、
を備え、
前記各基地局は、
自局から前記移動局へ向かう下り回線の送信電力値を、前記オフセット値が付加された基準値に近付くように制御する送信電力制御手段を備える移動通信システム。
【請求項２】
移動通信システムを構成する複数の基地局を制御する無線制御装置において、
前記各基地局から通知される、前記基地局から移動局へ向かう下り回線の送信電力値を取得する送信電力値取得手段と、
前記各基地局が提供するセルのうち、通信品質が良好なセルを判定するセル判定手段と、
前記セル判定手段により判定されたセルを提供する基地局における下り回線の送信電力値を、前記各基地局における下り回線の送信電力値の基準値として決定する基準値決定手段と、
前記通信品質に基づいて、前記各基地局に対応するオフセット値を決定するオフセット値決定手段と、
前記基準値に前記オフセット値を付加するオフセット値付加手段と、
前記オフセット値が付加された基準値を、該オフセット値に対応する前記基地局へ通知する基準値通知手段と、
を備える無線制御装置。
【請求項３】
請求項２に記載の無線制御装置において、
前記オフセット値決定手段は、前記基地局が提供するセルの通信品質の劣化の度合いが大きいほど前記基準値が減少するように、前記オフセット値を決定する無線制御装置。
【請求項４】
請求項２又は３に記載の無線制御装置において、
前記オフセット値決定手段は、前記各基地局に対応するオフセット値を、該基地局が提供するセルの通信品質と、前記セル判定手段により判定されたセルの通信品質との差に基づいて決定する無線制御装置。
【請求項５】
請求項２乃至４の何れかに記載の無線制御装置において、
前記オフセット値決定手段は、前記セル判定手段により判定されたセル以外のセルを提供する基地局が複数存在する場合に、これら各基地局に対応するオフセット値を同一の値に決定する無線制御装置。
【請求項６】
請求項２乃至４の何れかに記載の無線制御装置において、
前記通信品質と前記オフセット値との対応を示すテーブルを備え、
前記オフセット値決定手段は、前記テーブルに基づいて、前記各基地局に対応するオフセット値を決定する無線制御装置。
【請求項７】
請求項２乃至６の何れかに記載の無線制御装置において、
前記オフセット値決定手段は、前記下り回線を使用した通信にセカンダリスクランブリングコードが用いられている場合に、該下り回線を使用する基地局に対応するオフセット値を増加させる無線制御装置。
【請求項８】
請求項２乃至６の何れかに記載の無線制御装置において、
前記下り回線を使用した通信にセカンダリスクランブリングコードが用いられている場合に、該下り回線を使用する基地局に対応するオフセット値が付加された基準値を増加させる基準値増加手段を備える無線制御装置。
【請求項９】
他の基地局とともに移動通信システムを構成する基地局において、
自局から移動局へ向かう下り回線の送信電力値を、前記移動通信システムを構成する各基地局を制御する無線制御装置へ通知する送信電力値通知手段と、
前記無線制御装置から通知される、前記移動通信システムを構成する各基地局のうち、通信品質が良好なセルを提供する基地局における下り回線の送信電力値としての基準値に所定のオフセット値が付加された値を取得する基準値取得手段と、
自局から前記移動局へ向かう下り回線の送信電力値を、前記オフセット値が付加された基準値に近付くように制御する送信電力制御手段と、
を備える基地局。
【請求項１０】
請求項９に記載の基地局において、
前記移動局から通知される前記下り回線の通信品質を取得する下り回線通信品質取得手段と、
前記下り回線の通信品質を前記無線制御装置へ通知する下り回線通信品質通知手段と、
を備える基地局。
【請求項１１】
請求項９又は１０に記載の基地局において、
前記下り回線を使用した通信にセカンダリスクランブリングコードが用いられている場合に、前記オフセット値が付加された基準値を増加させる基準値増加手段を備え、
前記送信電力制御手段は、自局から前記移動局へ向かう下り回線の送信電力値を、前記オフセット値が付加され、且つ、前記基準値増加手段により増加された基準値に近付くように制御する基地局。
【請求項１２】
複数の基地局と、前記基地局を制御する無線制御装置とを有する移動通信システムにて、前記各基地局の送信電力を制御する送信電力制御方法において、
前記各基地局は、自局から移動局へ向かう下り回線の送信電力値を前記無線制御装置へ通知し、
前記無線制御装置は、前記各基地局が提供するセルのうち、通信品質が良好なセルを判定し、
前記無線制御装置は、前記通信品質が良好なセルを提供する基地局における下り回線の送信電力値を基準値として決定し、
前記無線制御装置は、前記各基地局に対応するオフセット値を決定し、
前記無線制御装置は、前記基準値に前記オフセット値を付加し、
前記無線制御装置は、前記オフセット値が付加された基準値を、該オフセット値に対応する前記基地局へ通知し、
前記各基地局は、自局から前記移動局へ向かう下り回線の送信電力値を、前記基準値に近付くように制御する送信電力制御方法。
【発明の詳細な説明】
【０００１】
【発明の属する技術分野】
本発明は、複数の基地局と、これら各基地局を制御する無線制御装置とを有する移動通信システムに関し、特に、基地局から移動局へ向かう下り回線の送信電力を制御することが可能な移動通信システムに関する。
【０００２】
【従来の技術】
ＣＤＭＡ（Ｃｏｄｅ  Ｄｉｖｉｓｉｏｎ  Ｍｕｌｔｉｐｌｅ  Ａｃｃｅｓｓ）が採用され、いわゆるソフトハンドオーバが可能な移動通信システムでは、移動局は、ハンドオーバ時に複数の基地局と通信を行うことができる。
【０００３】
一般に、移動通信においては、基地局と移動局との間に設定される無線回線は、フェージングによって常に変動している。このようなフェージングの影響を抑制させるために、ソフトハンドオーバ中の移動局は、自局との間で回線を設定している複数の基地局に対して、下り回線（基地局から移動局へ向かう回線）の送信電力を制御する命令（下り送信電力制御命令、例えばＴＰＣビット）を送信する。基地局は、この下り送信電力制御命令に応じて、下り回線の送信電力を増減させるとともに、当該下り回線の送信電力のバランス化を目的としたパワーバランス制御を行う。
【０００４】
一方、基地局は、自局との間で回線を設定している移動局に対して、上り回線（移動局から基地局へ向かう回線）の送信電力を制御する命令（上り送信電力制御命令）を送信する。移動局は、この上り送信電力制御命令に応じて、上り回線の送信電力を増減させる。
【０００５】
閉ループ送信電力制御が行われている場合、ソフトハンドオーバ中の移動局は、自局との間で回線を設定している複数の基地局に対して、同一の送信電力で下り送信電力制御命令を送信する。このため、基地局は、移動局から当該基地局へ向かう上り回線の伝搬損失が小さい場合には、下り送信電力制御命令を正確に受信することができるが、上り回線の伝搬損失が大きい場合には、下り送信電力制御命令の受信に失敗する場合がある。その結果、複数の基地局のそれぞれと移動局との間に設定される各下り回線の送信電力が不均一になることがある。
【０００６】
このように、複数の基地局のそれぞれと移動局との間に設定される各下り回線の送信電力が不均一になる場合の問題を考える。例えば、上り回線の伝搬損失が大きいために移動局からの下り送信電力制御命令の受信に失敗した基地局における下り回線の送信電力が、上り回線の伝搬損失が最も小さい基地局における下り回線の送信電力よりも小さくなった場合を考える。この場合、移動局は、上り回線の伝搬損失が大きい基地局が送信する上り送信電力制御命令の受信を失敗しやすくなる。しかし、上り回線の送信電力は、主に伝搬損失の小さい基地局からの上り送信電力制御命令によって制御されるため、それほど問題ではない。
【０００７】
一方、上り回線の伝搬損失が大きいために移動局からの下り送信電力制御命令の受信に失敗した基地局における下り回線の送信電力が、上り回線の伝搬損失が最も小さい基地局における下り回線の送信電力よりも大きくなった場合を考える。この場合、上り回線の伝搬損失が大きいため、移動局からの下り送信電力制御命令の受信に失敗した基地局における下り回線の送信電力は無駄に大きくなり、当該基地局が提供するセル内の他の移動局に対する干渉となって、その結果、下り回線の回線容量が減少する可能性がある。
【０００８】
このような問題を解決すべく、例えば、特許文献１（特開平１１−３４０９１０号公報）では、基地局が下り送信電力制御命令を受信する毎に、その制御命令に応じて下り回線の送信電力を増減させるとともに、その下り回線の送信電力値を所定の基準値に近付くように制御する方法が開示されている。特許文献１では、基準値は、基地局における最大送信電力、最小送信電力、最大送信電力のデシベル値と最小送信電力のデシベル値との中間値、基地局における送信電力の統計値が用いられている。
【０００９】
また、特許文献２（特開２００２−２３２３５３号公報）では、基地局を下り回線の通信品質が良好なグループと劣化しているグループとに分け、下り回線の通信品質が良好なグループの基地局には、パワーバランス制御を継続させ、下り回線の通信品質が劣化しているグループの基地局には、当該下り回線の送信電力を所定のレベルまで低下させる制御を行わせることにより、通信品質が良好な下り回線に及ぼされる干渉を低下させ、下り回線の回線容量を増加させる方法が開示されている。
【００１０】
【特許文献１】
特開平１１−３４０９１０号公報（第１１−１２頁、図６）
【００１１】
【特許文献２】
特開２００２−２３２３５３号公報（第１０−１２頁、図７）
【００１２】
【発明が解決しようとする課題】
しかしながら、上述した特許文献１では、各基地局における下り回線の通信品質が異なる点が考慮されていない。このため、例えば、基地局が下り回線の通信品質が劣化しているために、当該下り回線の送信電力値を大きな値に設定した場合、その送信電力値が基準値として決定されると、他の基地局における下り回線の送信電力も必要以上に大きくなり、無駄が生じる。
【００１３】
また、上述した特許文献２では、通信品質が良好な下り回線に及ぼされる干渉を低下させ、下り回線の回線容量を増加させることが可能であるが、パワーバランス制御における送信電力の基準値をどのように決定すべきかという観点からの記載はない。
【００１４】
そこで、本願は、パワーバランス制御における下り回線の送信電力の基準値を適切に決定することが可能な移動通信システム、無線制御装置、基地局及び送信電力制御方法を提供することを課題とする。
【００１５】
【課題を解決するための手段】
上記課題を解決するために、本発明は請求項１に記載されるように、複数の基地局と、前記各基地局を制御する無線制御装置とを有する移動通信システムにおいて、前記各基地局は、自局から移動局へ向かう下り回線の送信電力値を前記無線制御装置へ通知する送信電力値通知手段を備え、前記無線制御装置は、前記各基地局が提供するセルのうち、通信品質が良好なセルを判定するセル判定手段と、前記セル判定手段により判定されたセルを提供する基地局における下り回線の送信電力値を基準値として決定する基準値決定手段と、前記通信品質に基づいて、前記各基地局に対応するオフセット値を決定するオフセット値決定手段と、前記基準値に前記オフセット値を付加するオフセット値付加手段と、前記オフセット値が付加された基準値を、該オフセット値に対応する前記基地局へ通知する基準値通知手段とを備え、前記各基地局は、自局から前記移動局へ向かう下り回線の送信電力値を、前記オフセット値が付加された基準値に近付くように制御する送信電力制御手段を備える。
【００１６】
また、本発明は請求項２に記載されるように、移動通信システムを構成する複数の基地局を制御する無線制御装置において、前記各基地局から通知される、前記基地局から移動局へ向かう下り回線の送信電力値を取得する送信電力値取得手段と、前記各基地局が提供するセルのうち、通信品質が良好なセルを判定するセル判定手段と、前記セル判定手段により判定されたセルを提供する基地局における下り回線の送信電力値を、前記各基地局における下り回線の送信電力値の基準値として決定する基準値決定手段と、前記通信品質に基づいて、前記各基地局に対応するオフセット値を決定するオフセット値決定手段と、前記基準値に前記オフセット値を付加するオフセット値付加手段と、前記オフセット値が付加された基準値を、該オフセット値に対応する前記基地局へ通知する基準値通知手段とを備える。
【００１７】
また、本発明は請求項３に記載されるように、請求項２に記載の無線制御装置において、前記オフセット値決定手段は、前記基地局が提供するセルの通信品質の劣化の度合いが大きいほど前記基準値が減少するように、前記オフセット値を決定する。
【００１８】
また、本発明は請求項４に記載されるように、請求項２又は３に記載の無線制御装置において、前記オフセット値決定手段は、前記各基地局に対応するオフセット値を、該基地局が提供するセルの通信品質と、前記セル判定手段により判定されたセルの通信品質との差に基づいて決定する。
【００１９】
また、本発明は請求項５に記載されるように、請求項２乃至４の何れかに記載の無線制御装置において、前記オフセット値決定手段は、前記セル判定手段により判定されたセル以外のセルを提供する基地局が複数存在する場合に、これら各基地局に対応するオフセット値を同一の値に決定する。
【００２０】
また、本発明は請求項６に記載されるように、請求項２乃至４の何れかに記載の無線制御装置において、前記通信品質と前記オフセット値との対応を示すテーブルを備え、前記オフセット値決定手段は、前記テーブルに基づいて、前記各基地局に対応するオフセット値を決定する。
【００２１】
また、本発明は請求項７に記載されるように、請求項２乃至６の何れかに記載の無線制御装置において、前記オフセット値決定手段は、前記下り回線を使用した通信にセカンダリスクランブリングコードが用いられている場合に、該下り回線を使用する基地局に対応するオフセット値を増加させる。
【００２２】
また、本発明は請求項８に記載されるように、請求項２乃至６の何れかに記載の無線制御装置において、前記下り回線を使用した通信にセカンダリスクランブリングコードが用いられている場合に、該下り回線を使用する基地局に対応するオフセット値が付加された基準値を増加させる基準値増加手段を備える。
【００２３】
また、本発明は請求項９に記載されるように、他の基地局とともに移動通信システムを構成する基地局において、自局から移動局へ向かう下り回線の送信電力値を、前記移動通信システムを構成する各基地局を制御する無線制御装置へ通知する送信電力値通知手段と、前記無線制御装置から通知される、前記移動通信システムを構成する各基地局のうち、通信品質が良好なセルを提供する基地局における下り回線の送信電力値としての基準値に所定のオフセット値が付加された値を取得する基準値取得手段と、自局から前記移動局へ向かう下り回線の送信電力値を、前記オフセット値が付加された基準値に近付くように制御する送信電力制御手段とを備える。
【００２４】
また、本発明は請求項１０に記載されるように、請求項９に記載の基地局において、前記移動局から通知される前記下り回線の通信品質を取得する下り回線通信品質取得手段と、前記下り回線の通信品質を前記無線制御装置へ通知する下り回線通信品質通知手段とを備える。
【００２５】
また、本発明は請求項１１に記載されるように、請求項９又は１０に記載の基地局において、前記下り回線を使用した通信にセカンダリスクランブリングコードが用いられている場合に、前記オフセット値が付加された基準値を増加させる基準値増加手段を備え、前記送信電力制御手段は、自局から前記移動局へ向かう下り回線の送信電力値を、前記オフセット値が付加され、且つ、前記基準値増加手段により増加された基準値に近付くように制御する。
【００２６】
また、本発明は請求項１２に記載されるように、複数の基地局と、前記基地局を制御する無線制御装置とを有する移動通信システムにて、前記各基地局の送信電力を制御する送信電力制御方法において、前記各基地局は、自局から移動局へ向かう下り回線の送信電力値を前記無線制御装置へ通知し、前記無線制御装置は、前記各基地局が提供するセルのうち、通信品質が良好なセルを判定し、前記無線制御装置は、前記通信品質が良好なセルを提供する基地局における下り回線の送信電力値を基準値として決定し、前記無線制御装置は、前記各基地局に対応するオフセット値を決定し、前記無線制御装置は、前記基準値に前記オフセット値を付加し、前記無線制御装置は、前記オフセット値が付加された基準値を、該オフセット値に対応する前記基地局へ通知し、前記各基地局は、自局から前記移動局へ向かう下り回線の送信電力値を、前記基準値に近付くように制御する。
【００２７】
本発明によれば、無線制御装置は、通信品質が良好なセルを提供する基地局における下り回線の送信電力値を、各基地局における下り回線の送信電力値の基準値として決定するとともに、通信品質に基づいて各基地局に対応するオフセット値を決定し、このオフセット値が付加された基準値を通知し、各基地局は、自局から移動局へ向かう下り回線の送信電力値を、この基準値に近付くように制御する。通信品質が良好なセルを提供する基地局における下り回線の送信電力値は、一般に小さい値となる。従って、パワーバランス制御における送信電力の基準値が、通信品質が良好なセルを提供する基地局における下り回線の送信電力値に決定されることにより、各基地局における下り回線の送信電力が無駄に大きくなることを防止し、各基地局において、適切な下り回線の送信電力の設定が可能になる。
【００２８】
また、無線制御装置は、各基地局毎に通信品質に基づいてオフセット値を決定し、このオフセット値を基準値に付加することにより、当該基準値を各基地局毎に異なる値にすることができる。特に、通信品質が劣化している場合、基地局からの信号は移動局において受信されにくい、換言すれば、通信品質が劣化しているセルを提供する基地局は移動局における信号受信に対する寄与度が低い。このことを考慮し、無線制御装置は、基地局が提供するセルの通信品質の劣化の度合いが大きいほど基準値が減少するように、オフセット値を決定することにより、移動局の信号受信における寄与度が低い基地局については、下り回線の送信電力を低下させて、当該下り回線の送信電力が無駄に大きくなることを防止することができる。
【００２９】
また、セカンダリスクランブリングコードが用いられる下り回線の通信は、プライマリスクランブリングコードが用いられる他の下り回線の通信における信号からの影響を受けやすい。このことを考慮して、下り回線を使用した通信にセカンダリスクランブリングコードが用いられている場合に、該下り回線を使用する基地局に対応するオフセット値を増加させたり当該オフセット値が付加された基準値を増加させることにより、対応する下り回線の送信電力値を他の下り回線の影響を受けにくい大きな値に設定することができる。
【００３０】
【発明の実施の形態】
以下、図面を参照しながら本発明の実施の形態を説明する。
【００３１】
図１は、本発明の一実施形態に係る移動通信システムの構成例を示す図である。同図に示す移動通信システム１は、ＣＤＭＡが採用され、いわゆるソフトハンドオーバが可能なものであり、基地局１０−１、１０−２及び１０−３（以下、これら基地局１０−１、１０−２及び１０−３をまとめて、適宜「基地局１０」と称する）と、これら基地局１０を制御する無線制御装置３０と、移動局５０−１、５０−２及び５０−３（以下、これら移動局５０−１、５０−２及び５０−３をまとめて、適宜「移動局５０」と称する）とを備えて構成される。
【００３２】
図１において、基地局１０−１、１０−２及び１０−３は、無線ゾーンとしてのセル２０−１、２０−２及び２０−３（以下、これらセル２０−１、２０−２及び２０−３をまとめて、適宜「セル２０」と称する）を提供している。セル２０−１とセル２０−２とが重複する領域に存在する移動局５０−１は、ソフトハンドオーバ中であり、セル２０−１を提供する基地局１０−１、セル２０−２を提供する基地局２０−２の双方と通信可能である。
【００３３】
この移動通信システム１では、ソフトハンドオーバ中の移動局５０との間に回線が設定されている各基地局１０から当該ソフトハンドオーバ中の移動局５０へ向かう下り回線の送信電力値が基準値に近付くように制御される、パワーバランス制御が行われる。以下、移動通信システム１におけるパワーバランス制御の詳細についての第１及び第２実施例を説明する。
【００３４】
（第１実施例）
図２は、第１実施例における基地局１０の構成例を示す図である。同図に示す基地局１０は、アンテナ１１、移動局信号受信部１２、無線制御装置信号送信部１３、無線制御装置信号受信部１４、下り送信電力制御部１５及び移動局信号送信部１６を備える。
【００３５】
一方、図３は、第１実施例における無線制御装置３０の構成例を示す図である。同図に示す無線制御装置３０は、基地局信号受信部３１、主セル判定部３３、基準値決定部３４、基地局信号送信部３５、オフセット値決定部３７及びオフセット値付加部３８を備える。
【００３６】
まず、図２を参照しつつ説明する。ソフトハンドオーバ中の移動局５０との間に回線が設定されている基地局１０内の移動局信号受信部１２は、当該移動局５０からのユーザ信号を、アンテナ１１を介して受信する。また、移動局信号受信部１２は、ソフトハンドオーバ中の移動局１０によって測定された下り回線の通信品質（以下、「下り通信品質」と称する）を、アンテナ１１を介して受信する。ここで、下り通信品質は、任意のパラメータでよく、例えば共通パイロットチャネルの受信レベル、受信ＳＮＩＲ、ブロックエラーレート、伝搬損失、干渉量などである。移動局信号受信部１２は、これら受信したユーザ信号及び下り通信品質を無線制御装置信号送信部１３へ出力する。
【００３７】
無線制御装置信号送信部１３は、入力されたユーザ信号を無線制御装置３０へ送信する。また、無線制御装置信号送信部１３は、入力された下り通信品質に、自局が提供するセル２０の識別情報（セル識別情報）を含ませた上で、無線制御装置３０へ送信する。更に、無線制御装置信号送信部１３は、その時点で下り送信電力制御部１５によって設定されている下り回線の送信電力値（以下、「下り送信電力値」と称する）を取得し、自局が提供するセル２０のセル識別情報を含ませた上で、無線制御装置３０へ送信する。
【００３８】
次に、図３を参照しつつ説明する。無線制御装置３０内の基地局信号受信部３１は、ソフトハンドオーバ中の移動局５０との間に回線が設定されている各基地局１０から送信されるユーザ信号、下り通信品質及び下り送信電力値を受信する。基地局信号受信部３１は、ユーザ信号については図示しない交換局へ出力する。また、基地局信号受信部３１は、下り通信品質については主セル判定部３３及びオフセット値決定部３７へ出力し、下り送信電力値については基準値決定部３４へ出力する。
【００３９】
主セル判定部３３は、ソフトハンドオーバ中の移動局５０との間に回線が設定されている各基地局１０が提供するセル２０のうち、下り通信品質が最良のセル２０を主セルとして判定する。具体的には、主セル判定部３３は、基地局信号受信部３１からの各下り通信品質の中から最良の下り通信品質を特定する。次に、主セル判定部３３は、その最良の下り通信品質に対応する基地局１０が提供するセル２０を主セルとして判定する。更に、主セル判定部３３は、最良の下り通信品質に対応付けられているセルの識別情報、即ち、主セルのセル識別情報を基準値決定部３４及びオフセット値決定部３７へ出力する。
【００４０】
基準値決定部３４は、基地局信号受信部３１からの各下り送信電力値の中から主セルを提供する基地局１０における下り送信電力値を基準値として決定する。具体的には、基準値決定部３４は、基地局信号受信部３１からの各下り送信電力値からセル識別情報を抽出する。次に、基準値決定部３４は、抽出した各セル識別情報の中から、主セル判定部３３からのセル識別情報と一致するものを特定する。更に、基準値決定部３４は、その特定したセル識別情報を含んでいた下り送信電力値を基準値として決定する。決定された基準値は、オフセット値付加部３８へ出力される。
【００４１】
オフセット値決定部３７は、基地局信号受信部３１からの下り通信品質に基づいて、ハンドオーバ中の移動局５０との間で回線が設定されている各基地局１０毎に、基準値に付加されるオフセット値を決定する。なお、ここでは、オフセット値は、負の値である。
【００４２】
具体的には、オフセット値決定部３７は、主セルを提供する基地局１０に対しては、所定値を主セル用のオフセット値として決定し、主セル以外のセル（以下、「副セル」と称する）を提供する各基地局１０に対しては、主セル用のオフセット値よりも小さな同一の所定値を副セル用のオフセット値として決定する。この場合、主セル用のオフセット値は、副セル用のオフセット値よりも大きな値となる。
【００４３】
あるいは、オフセット値決定部３７は、基地局信号受信部３１からの各下り通信品質の中から、主セル判定部３３からのセル識別情報を含んだ下り通信品質を特定し、その特定した下り通信品質を主セルの下り通信品質として認識し、他の下り通信品質を副セルの下り通信品質として認識する。更に、オフセット値決定部３７は、主セルの下り通信品質と各副セルの通信品質との差に基づいて、副セル用のオフセット値を決定する。例えば、下り通信品質として伝搬損失が用いられている場合、オフセット値決定部３７は、主セルを提供する基地局１０に対しては、所定値を主セル用のオフセット値として決定する。一方、オフセット値決定部３７は、副セルを提供する基地局１０に対しては、主セル用のオフセット値と、主セルの伝搬損失から副セルの伝搬損失を差し引いた値とを加算した値を副セル用のオフセット値として決定する。この場合、主セルの伝搬損失と副セルの伝搬損失との差が小さい場合には、副セル用のオフセット値は、主セル用のオフセット値に近い値となる。一方、主セルの伝搬損失と副セルの伝搬損失との差が大きい場合には、副セル用のオフセット値は、主セル用のオフセット値よりも非常に小さい値となる。
【００４４】
なお、オフセット値決定部３７は、副セルを提供する基地局１０に対しては、副セル用の固定のオフセット値と、主セルの伝搬損失から副セルの伝搬損失を差し引いた値とを加算した値を副セル用のオフセット値として決定しても良い。但し、副セル用の固定のオフセット値は主セル用のオフセット値よりも小さな値である。
【００４５】
また、オフセット値決定部３７は、オフセット値テーブルを備え、当該オフセット値テーブルに基づいてオフセット値を決定することができる。例えば、下り通信品質として伝搬損失が用いられている場合、図４に示すようなオフセット値テーブルが用いられる。図４に示すオフセット値テーブルは、所定の伝搬損失と主セル及び副セルの伝搬損失との差に応じて、主セル及び副セルのオフセット値が決定可能なテーブルである。例えば、所定の伝搬損失と副セルの伝搬損失との差が２ｄＢの場合、副セル用のオフセット値は−７ｄＢになる。
【００４６】
なお、上記では、下り通信品質として伝搬損失が用いられている場合について説明したが、干渉量が用いられている場合においても、オフセット値決定部３７は、同様にオフセット値を決定することができる。
【００４７】
オフセット値決定部３７は、上述した何れかの方法によってオフセット値を決定すると、当該オフセット値に対応する基地局１０が提供するセル２０のセル識別情報を含ませる。このセル識別情報は、基地局信号受信部３１からの下り通信品質に含まれている。更に、オフセット値決定部３７は、セル識別情報が含まれたオフセット値をオフセット値付加部３８へ出力する。
【００４８】
オフセット値付加部３８は、基準値決定部３４からの基準値に対して、オフセット値決定部３７からのオフセット値を付加する。更に、オフセット値付加部３８は、オフセット値が付加された基準値を基地局信号送信部３５へ出力する。
【００４９】
基地局信号送信部３５は、オフセット値付加部３８からのオフセット値が付加された基準値を、当該オフセット値に含まれているセル識別情報により特定されるセル２０を提供する基地局１０へ送信する。また、基地局信号送信部３５は、ソフトハンドオーバ中の移動局５０宛のユーザ信号がある場合には、当該ユーザ信号を、ソフトハンドオーバ中の移動局５０との間に回線が設定されている各基地局１０へ送信する。
【００５０】
再び、図２を参照しつつ説明する。ソフトハンドオーバ中の移動局５０との間に回線が設定されている基地局１０内の無線制御装置信号受信部１４は、無線制御装置３０から送信される、オフセット値が付加された基準値（以下、適宜「オフセット付加基準値」と称する）を受信し、下り送信電力制御部１５へ出力する。また、無線制御装置信号受信部１４は、無線制御装置３０がユーザ信号を送信してきた場合には、当該ユーザ信号を受信し、移動局信号送信部１６へ出力する。
【００５１】
下り送信電力制御部１５は、下り送信電力値を、入力されたオフセット付加基準値に近付くように設定する。移動局信号送信部１６は、下り送信電力制御部１５によって設定された下り送信電力値で、ユーザ信号等を、自局との間に回線が設定されているソフトハンドオーバ中の移動局５０へ送信する。
【００５２】
次に、第１実施例における移動通信システム１の動作を説明する。図５は、第１実施例における移動通信システム１の動作を示すシーケンス図である。ソフトハンドオーバ中の移動局５０との間に回線が設定されている基地局１０は、当該移動局５０から送信されるユーザ信号及び下り通信品質を受信すると（ステップ１０１）、これらユーザ信号及び下り通信品質と、自局が提供するセルのセル識別情報と、その時点における下り送信電力値とを、無線制御装置３０へ送信する（ステップ１０２）。
【００５３】
無線制御装置３０は、ソフトハンドオーバ中の移動局５０との間に回線が設定されている各基地局１０から送信された下り通信品質に基づいて、各基地局１０が提供するセル２０のうち、下り通信品質が最良のセル２０を主セルとして判定する（ステップ１０３）。
【００５４】
次に、無線制御装置３０は、受信した各下り送信電力値の中から主セルを提供する基地局１０における下り送信電力値を基準値として決定する（ステップ１０４）。次に、無線制御装置３０は、ソフトハンドオーバ中の移動局５０との間に回線が設定されている各基地局１０毎に、オフセット値を決定する（ステップ１０５）。更に、無線制御装置３０は、基準値に各オフセット値を付加し（ステップ１０６）、オフセット付加基準値とユーザ信号とを、ソフトハンドオーバ中の移動局５０との間に回線が設定されている各基地局１０へ送信する（ステップ１０７）。
【００５５】
ソフトハンドオーバ中の移動局５０との間に回線が設定されている基地局１０は、下り送信電力値を、受信したオフセット付加基準値に近付くように設定する（ステップ１０８）。更に、ソフトハンドオーバ中の移動局５０との間に回線が設定されている基地局１０は、設定した下り送信電力値で、ユーザ信号等をソフトハンドオーバ中の移動局５０へ送信する（ステップ１０９）。
【００５６】
（第２実施例）
次に、第２実施例について説明する。第２実施例における基地局１０の構成は、図２に示す第１実施例における基地局１０の構成と同様である。即ち、第２実施例における基地局１０は、アンテナ１１、移動局信号受信部１２、無線制御装置信号送信部１３、無線制御装置信号受信部１４、下り送信電力制御部１５及び移動局信号送信部１６を備える。以下、第２実施例における基地局１０については、図２を参照しつつ説明する。
【００５７】
一方、第２実施例における無線制御装置３０の構成は、図３に示す第１実施例における無線制御装置３０の構成とは異なる。図６は、第２実施例における無線制御装置３０の構成例を示す図である。同図に示す無線制御装置３０は、基地局信号受信部３１、主セル判定部３３、基準値決定部３４、基地局信号送信部３５、オフセット値決定部３７、オフセット値付加部３８及びコード管理部３９を備える。
【００５８】
まず、図２を参照しつつ説明する。ソフトハンドオーバ中の移動局５０との間に回線が設定されている基地局１０内の移動局信号受信部１２は、第１実施例と同様、ソフトハンドオーバ中の移動局１０によって測定された下り通信品質を、アンテナ１１を介して受信する。更に、移動局信号受信部１２は、受信したユーザ信号及び下り通信品質を無線制御装置信号送信部１３へ出力する。
【００５９】
無線制御装置信号送信部１３は、第１実施例と同様、入力されたユーザ信号を無線制御装置３０へ送信する。また、無線制御装置信号送信部１３は、入力された下り通信品質に、自局が提供するセル２０のセル識別情報を含ませた上で、無線制御装置３０へ送信する。更に、無線制御装置信号送信部１３は、その時点で下り送信電力制御部１５によって設定されている下り送信電力値を取得し、自局が提供するセル２０のセル識別情報を含ませた上で、無線制御装置３０へ送信する。また、無線制御装置信号送信部１３は、ハンドオーバ中の移動局５０との間に設定されている下り回線の通信を識別する情報（以下、「呼識別情報」と称する）に、自局が提供するセル２０のセル識別情報を付加した上で、無線制御装置３０へ送信する。
【００６０】
次に、図６を参照しつつ説明する。無線制御装置３０内の基地局信号受信部３１は、ソフトハンドオーバ中の移動局５０との間に回線が設定されている各基地局１０から送信されるユーザ信号、下り通信品質、下り送信電力値及び呼識別情報を受信する。更に、基地局信号受信部３１は、ユーザ信号については図示しない交換局へ出力し、下り通信品質については主セル判定部３３及びオフセット値決定部３７へ出力する。また、基地局信号受信部３１は、下り送信電力値については基準値決定部３４へ出力し、呼識別情報についてはオフセット値決定部３７へ出力する。
【００６１】
主セル判定部３３は、第１実施例と同様、ソフトハンドオーバ中の移動局５０との間に回線が設定されている各基地局１０が提供するセル２０のうち、下り通信品質が最良のセル２０を主セルとして判定し、主セルのセル識別情報を基準値決定部３４及びオフセット値決定部３７へ出力する。
【００６２】
基準値決定部３４は、第１実施例と同様、基地局信号受信部３１からの各下り送信電力値の中から主セルを提供する基地局１０における下り送信電力値を基準値として決定し、オフセット値付加部３８へ出力する。
【００６３】
オフセット値決定部３７は、基地局信号受信部３１からの下り通信品質に基づいて、ハンドオーバ中の移動局５０との間で回線が設定されている各基地局１０毎に、基準値に付加されるオフセット値を決定する。具体的なオフセット値の決定方法は、第１実施例と同様である。更に、オフセット値決定部３７は、決定したオフセット値に、当該オフセット値に対応する基地局１０が提供するセル２０のセル識別情報を含ませる。
【００６４】
次に、オフセット値決定部３７は、基地局信号受信部３１からの呼識別情報により特定される下り回線の通信にセカンダリスクランブリングコードが用いられている場合には、対応する基地局１０のオフセット値に対して所定値を加算する。
【００６５】
具体的には、コード管理部３９は、スクランブリングコードと当該スクランブリングコードを使用した下り回線の通信の呼識別情報とを対応付けて管理している。オフセット値決定部３７は、このコード管理部３９が管理する情報と、基地局信号受信部３１からの呼識別情報とに基づいて、当該基地局信号受信部３１からの呼識別情報により特定される下り回線の通信に用いられているスクランブリングコードを特定し、更に、そのスクランブリングコードにセカンダリスクランブリングコードが含まれているか否かを判定する。スクランブリングコードにセカンダリスクランブリングコードが含まれている場合には、オフセット値決定部３７は、基地局信号受信部３１からの呼識別情報に付加されているセル識別情報に対応するセル２０を提供する基地局１０を特定する。更に、オフセット値決定部３７は、特定した基地局１０に対応するオフセット値に対して、所定値を加算する。なお、ここでは所定値は正の値である。但し、後述するオフセット値付加部３８が、スクランブリングコードにセカンダリスクランブリングコードが含まれている場合において基準値に所定値を加算する処理を行う場合には、オフセット値決定部３７は、上述したオフセット値に対して所定値を加算する処理を行わない。
【００６６】
更に、オフセット値決定部３７は、決定したオフセット値、あるいは、決定したオフセット値に所定値を加算した新たなオフセット値をオフセット値付加部３８へ出力する。
【００６７】
オフセット値付加部３８は、第１実施例と同様、基準値決定部３４からの基準値に対して、オフセット値決定部３７からのオフセット値を付加する。
【００６８】
また、基地局信号受信部３１からの呼識別情報により特定される下り回線の通信にセカンダリスクランブリングコードが用いられている場合において、オフセット値決定部３７が対応する基地局１０のオフセット値に対して所定値を加算する処理を行わない場合には、オフセット値付加部３８は、更に、オフセット値が付加された基準値に対して所定値を加算する。具体的には、オフセット値付加部３８は、コード管理部３９が管理する情報と、基地局信号受信部３１からの呼識別情報とに基づいて、当該基地局信号受信部３１からオフセット値決定部３７を介して入力される呼識別情報により特定される下り回線の通信に用いられているスクランブリングコードを特定し、更に、そのスクランブリングコードにセカンダリスクランブリングコードが含まれているか否かを判定する。スクランブリングコードにセカンダリスクランブリングコードが含まれている場合には、オフセット値付加部３８は、基地局信号受信部３１からの呼識別情報に付加されているセル識別情報が含まれているオフセット値を特定し、その特定したオフセット値が付加された基準値に対して、所定値を加算する。なお、ここでは所定値は、正の値である。
【００６９】
更に、オフセット値付加部３８は、オフセット値が付加された基準値を基地局信号送信部３５へ出力する。
【００７０】
基地局信号送信部３５は、第１実施例と同様、オフセット値付加部３８からのオフセット値が付加された基準値を、当該オフセット値に含まれているセル識別情報により特定されるセル２０を提供する基地局１０へ送信する。また、基地局信号送信部３５は、ソフトハンドオーバ中の移動局５０宛のユーザ信号がある場合には、当該ユーザ信号を、ソフトハンドオーバ中の移動局５０との間に回線が設定されている各基地局１０へ送信する。
【００７１】
再び、図２を参照しつつ説明する。ソフトハンドオーバ中の移動局５０との間に回線が設定されている基地局１０内の無線制御装置信号受信部１４は、第１実施例と同様、無線制御装置３０から送信されるオフセット付加基準値を受信し、下り送信電力制御部１５へ出力する。また、無線制御装置信号受信部１４は、無線制御装置３０がユーザ信号を送信してきた場合には、当該ユーザ信号を受信し、移動局信号送信部１６へ出力する。
【００７２】
下り送信電力制御部１５は、第１実施例と同様、下り送信電力値を、入力されたオフセット付加基準値に近付くように設定する。移動局信号送信部１６は、下り送信電力制御部１５によって設定された下り送信電力値で、ユーザ信号等を、自局との間に回線が設定されているソフトハンドオーバ中の移動局５０へ送信する。
【００７３】
次に、第２実施例における移動通信システム１の動作を説明する。図７は、第２実施例における移動通信システム１の動作を示すシーケンス図である。なお、同図は、無線制御装置３０内のオフセット値決定部３７がオフセット値に対して所定値を加算する場合の例である。ソフトハンドオーバ中の移動局５０との間に回線が設定されている基地局１０は、当該移動局５０から送信されるユーザ信号及び下り通信品質を受信すると（ステップ２０１）、これらユーザ信号及び下り通信品質と、自局が提供するセルのセル識別情報と、その時点における下り送信電力値と、ハンドオーバ中の移動局５０との間に設定されている下り回線の通信に対応する呼識別情報とを、無線制御装置３０へ送信する（ステップ２０２）。
【００７４】
無線制御装置３０は、ソフトハンドオーバ中の移動局５０との間に回線が設定されている各基地局１０から送信された下り通信品質に基づいて、各基地局１０が提供するセル２０のうち、下り通信品質が最良のセル２０を主セルとして判定する（ステップ２０３）。
【００７５】
次に、無線制御装置３０は、受信した各下り送信電力値の中から主セルを提供する基地局１０における下り送信電力値を基準値として決定する（ステップ２０４）。次に、無線制御装置３０は、ソフトハンドオーバ中の移動局５０との間に回線が設定されている各基地局１０毎に、オフセット値を決定する（ステップ２０５）。更に、無線制御装置３０は、移動局５０からの呼識別情報に基づいて、基地局１０における下り回線の通信にセカンダリスクランブリングコードが用いられているか否かを判定し、用いられている場合には、当該基地局１０に対応するオフセット値に対して所定値を加算する（ステップ２０６）。そして、無線制御装置３０は、基準値に各オフセット値を付加し（ステップ２０７）、オフセット付加基準値とユーザ信号とを、ソフトハンドオーバ中の移動局５０との間に回線が設定されている各基地局１０へ送信する（ステップ２０８）。
【００７６】
ソフトハンドオーバ中の移動局５０との間に回線が設定されている基地局１０は、下り送信電力値を、受信したオフセット付加基準値に近付くように設定する（ステップ２０９）。更に、ソフトハンドオーバ中の移動局５０との間に回線が設定されている基地局１０は、設定した下り送信電力値で、ユーザ信号等をソフトハンドオーバ中の移動局５０へ送信する（ステップ２１０）。
【００７７】
（第３実施例）
上述した第２実施例では、基地局１０における下り回線の通信にセカンダリスクランブリングコードが用いられている場合、無線制御装置３０が、当該基地局１０に対応するオフセット値が付加された基準値に対して所定値を加算したが、本実施例では、基準値を取得した基地局１０がこのような処理を行う。
【００７８】
図８は、第３実施例における基地局１０の構成例を示す図である。同図に示す基地局１０は、アンテナ１１、移動局信号受信部１２、無線制御装置信号送信部１３、無線制御装置信号受信部１４、下り送信電力制御部１５、移動局信号送信部１６、加算値付加部１７及びコード管理部１８を備える。
【００７９】
一方、第３実施例における無線制御装置３０の構成は、図３に示す第１実施例における無線制御装置３０の構成と同様である。即ち、第３実施例における無線制御装置３０は、基地局信号受信部３１、主セル判定部３３、基準値決定部３４、基地局信号送信部３５、オフセット値決定部３７及びオフセット値付加部３８を備える。以下、第３実施例における無線制御装置３０については、図３を参照しつつ説明する。
【００８０】
まず、図８を参照しつつ説明する。ソフトハンドオーバ中の移動局５０との間に回線が設定されている基地局１０内の移動局信号受信部１２は、第１実施例と同様、ソフトハンドオーバ中の移動局１０によって測定された下り通信品質を、アンテナ１１を介して受信する。更に、移動局信号受信部１２は、受信したユーザ信号及び下り通信品質を無線制御装置信号送信部１３へ出力する。
【００８１】
無線制御装置信号送信部１３は、第１実施例と同様、入力されたユーザ信号を無線制御装置３０へ送信する。また、無線制御装置信号送信部１３は、入力された下り通信品質に、自局が提供するセル２０のセル識別情報を含ませた上で、無線制御装置３０へ送信する。更に、無線制御装置信号送信部１３は、その時点で下り送信電力制御部１５によって設定されている下り送信電力値を取得し、自局が提供するセル２０のセル識別情報を含ませた上で、無線制御装置３０へ送信する。
【００８２】
次に、図３を参照しつつ説明する。無線制御装置３０は、第１実施例と同様の処理を行う。即ち、無線制御装置３０内の基地局信号受信部３１は、ソフトハンドオーバ中の移動局５０との間に回線が設定されている各基地局１０から送信されるユーザ信号、下り通信品質及び下り送信電力値を受信し、ユーザ信号については図示しない交換局へ、下り通信品質については主セル判定部３３及びオフセット値決定部３７へ、下り送信電力値については基準値決定部３４へそれぞれ出力する。
【００８３】
主セル判定部３３は、ソフトハンドオーバ中の移動局５０との間に回線が設定されている各基地局１０が提供するセル２０のうち、下り通信品質が最良のセル２０を主セルとして判定し、主セルのセル識別情報を基準値決定部３４及びオフセット値決定部３７へ出力する。
【００８４】
基準値決定部３４は、基地局信号受信部３１からの各下り送信電力値の中から主セルを提供する基地局１０における下り送信電力値を基準値として決定し、オフセット値付加部３８へ出力する。
【００８５】
オフセット値決定部３７は、基地局信号受信部３１からの下り通信品質に基づいて、ハンドオーバ中の移動局５０との間で回線が設定されている各基地局１０毎に、基準値に付加されるオフセット値を決定する。更に、オフセット値決定部３７は、決定したオフセット値に、当該オフセット値に対応する基地局１０が提供するセル２０のセル識別情報を含ませて、オフセット値付加部３８へ出力する。
【００８６】
オフセット値付加部３８は、基準値決定部３４からの基準値に対して、オフセット値決定部３７からのオフセット値を付加する。更に、オフセット値付加部３８は、オフセット値が付加された基準値を基地局信号送信部３５へ出力する。
【００８７】
基地局信号送信部３５は、オフセット値付加部３８からのオフセット値が付加された基準値を、当該オフセット値に含まれているセル識別情報により特定されるセル２０を提供する基地局１０へ送信する。また、基地局信号送信部３５は、ソフトハンドオーバ中の移動局５０宛のユーザ信号がある場合には、当該ユーザ信号を、ソフトハンドオーバ中の移動局５０との間に回線が設定されている各基地局１０へ送信する。
【００８８】
再び、図８を参照しつつ説明する。ソフトハンドオーバ中の移動局５０との間に回線が設定されている基地局１０内の無線制御装置信号受信部１４は、無線制御装置３０から送信される、オフセット値が付加された基準値（オフセット付加基準値）を受信し、加算値付加部１７へ出力する。
【００８９】
加算値付加部１７は、ハンドオーバ中の移動局５０との間で行われている下り回線の通信にセカンダリスクランブリングコードが用いられている場合には、オフセット付加基準値に対して所定値を加算する。
【００９０】
具体的には、コード管理部１８は、スクランブリングコードと当該スクランブリングコードを使用した下り回線の通信の呼識別情報とを対応付けて管理している。加算値付加部１７は、このコード管理部１８が管理する情報と、ハンドオーバ中の移動局５０との間で行われている下り回線の通信に対応する呼識別情報とに基づいて、当該呼識別情報により特定される下り回線の通信に用いられているスクランブリングコードを特定し、更に、そのスクランブリングコードにセカンダリスクランブリングコードが含まれているか否かを判定する。スクランブリングコードにセカンダリスクランブリングコードが含まれている場合には、加算値付加部１７は、オフセット付加基準値に対して所定値を加算する。なお、ここでは所定値は、正の値である。
【００９１】
下り送信電力制御部１５は、下り送信電力値を、加算値付加部１７からの所定値が加算されたオフセット付加基準値に近付くように設定する。移動局信号送信部１６は、下り送信電力制御部１５によって設定された下り送信電力値で、ユーザ信号等を、自局との間に回線が設定されているソフトハンドオーバ中の移動局５０へ送信する。
【００９２】
次に、第３実施例における移動通信システム１の動作を説明する。図９は、第３実施例における移動通信システム１の動作を示すシーケンス図である。ソフトハンドオーバ中の移動局５０との間に回線が設定されている基地局１０は、当該移動局５０から送信されるユーザ信号及び下り通信品質を受信すると（ステップ３０１）、これらユーザ信号及び下り通信品質と、自局が提供するセルのセル識別情報と、その時点における下り送信電力値とを、無線制御装置３０へ送信する（ステップ３０２）。
【００９３】
無線制御装置３０は、ソフトハンドオーバ中の移動局５０との間に回線が設定されている各基地局１０から送信された下り通信品質に基づいて、各基地局１０が提供するセル２０のうち、下り通信品質が最良のセル２０を主セルとして判定する（ステップ３０３）。
【００９４】
次に、無線制御装置３０は、受信した各下り送信電力値の中から主セルを提供する基地局１０における下り送信電力値を基準値として決定する（ステップ３０４）。次に、無線制御装置３０は、ソフトハンドオーバ中の移動局５０との間に回線が設定されている各基地局１０毎に、オフセット値を決定する（ステップ３０５）。更に、無線制御装置３０は、基準値に各オフセット値を付加し（ステップ３０６）、オフセット付加基準値とユーザ信号とを、ソフトハンドオーバ中の移動局５０との間に回線が設定されている各基地局１０へ送信する（ステップ３０７）。
【００９５】
ソフトハンドオーバ中の移動局５０との間に回線が設定されている基地局１０は、当該移動局５０との間の下り回線の通信に用いられているスクランブリングコードを確認し（ステップ３０８）、そのスクランブリングコードにセカンダリスクランブリングコードが含まれている場合には、オフセット付加基準値に所定値を加算する（ステップ３０９）。更に、基地局１０は、下り送信電力値を、所定値が加算されたオフセット付加基準値に近付くように設定し（ステップ３１０）、その設定した下り送信電力値で、ユーザ信号等をソフトハンドオーバ中の移動局５０へ送信する（ステップ３１１）。
【００９６】
このように、本実施形態における移動通信システム１では、ソフトハンドオーバ中の移動局５０との間に回線が設定されている各基地局１０は、自局から当該ソフトハンドオーバ中の移動局５０へ向かう下り回線の送信電力値を無線制御装置３０へ通知する。無線制御装置３０は、パワーバランス制御を行うべく、各基地局１０が提供するセル２０のうち、通信品質が最良のセル２０を提供する基地局１０における下り回線の送信電力値を基準値として決定し、この基準値に対して、各基地局毎１０に通信品質に基づいて決定したオフセット値を付加した上で通知する。ソフトハンドオーバ中の移動局５０との間に回線が設定されている基地局１０は、自局から当該ソフトハンドオーバ中の移動局５０へ向かう下り回線の送信電力値を、この基準値に近付くように制御する。
【００９７】
通信品質が最良のセル２０を提供する基地局１０における下り送信電力値は、フェージングによる影響が少ないため、一般に小さい値となる。従って、パワーバランス制御における送信電力の基準値が、通信品質が最良のセル２０を提供する基地局１０における下り送信電力値に決定されることにより、移動通信システム１を構成する、ソフトハンドオーバ中の移動局５０との間に回線が設定されている各基地局１０における下り回線の送信電力が、通信品質が良好であるにもかかわらず、無駄に大きくなることが防止され、これら各基地局１０において、適切な下り回線の送信電力の設定が可能になる。
【００９８】
また、移動通信システム１では、無線制御装置３０は、各基地局１０毎に通信品質に基づいたオフセット値を決定して基準値に付加することにより、基準値を各基地局１０毎に異なる値にすることができる。特に、通信品質が劣化している場合、基地局１０からの信号は移動局５０において受信されにくく、通信品質が劣化しているセル２０を提供する基地局１０は、移動局５０における信号受信に対する寄与度が低くなることを考慮し、無線制御装置３０は、基地局１０が提供するセル２０の通信品質の劣化の度合いが大きいほど基準値が減少するように、オフセット値を決定することにより、移動局５０の信号受信における寄与度が低い基地局１０については、下り回線の送信電力を低下させて、当該下り回線の送信電力が無駄に大きくなることを防止することができる。
【００９９】
また、セカンダリスクランブリングコードが用いられる下り回線の通信は、プライマリスクランブリングコードが用いられる他の下り回線の通信における信号からの影響を受けやすいことを考慮して、下り回線を使用した通信にセカンダリスクランブリングコードが用いられている場合に、無線制御装置３０が、該下り回線を使用する基地局１０に対応するオフセット値や当該オフセット値が付加された基準値を増加させたり、基地局１０が、オフセット値が付加された基準値を増加させることにより、対応する下り回線の送信電力値を他の下り回線の影響を受けにくい大きな値に設定することができる。
【０１００】
なお、上述した実施形態では、無線通信制御装置３０は、通信品質が最良のセル２０を提供する基地局１０における下り回線の送信電力値を基準値として決定したが、通信品質が最良ではないものの所定以上の良好なセル２０を提供する基地局１０における下り回線の送信電力値を基準値として決定しても良い。
【０１０１】
また、第３実施例における基地局１０内のコード管理部１８は、セカンダリスクランブリングコードを含むスクランブリングコードのみと当該スクランブリングコードを使用した下り回線の通信の呼識別情報とを対応付けて管理するようにしても良い。
【０１０２】
【発明の効果】
本発明によれば、パワーバランス制御における下り回線の送信電力の基準値を適切に決定することが可能となる。
【図面の簡単な説明】
【図１】本実施形態の移動通信システムの構成例を示す図である。
【図２】第１及び第２実施例における基地局の構成例を示す図である。
【図３】第１および第３実施例における無線制御装置の構成例を示す図である。
【図４】オフセット値テーブルの一例を示す図である。
【図５】第１実施例における移動通信システムの動作を示すシーケンス図である。
【図６】第２実施例における無線制御装置の構成例を示す図である。
【図７】第２実施例における移動通信システムの動作を示すシーケンス図である。
【図８】第３実施例における基地局の構成例を示す図である。
【図９】第３実施例における移動通信システムの動作を示すシーケンス図である。
【符号の説明】
１  移動通信システム
１０−１、１０−２、１０−３  基地局
１１  アンテナ
１２  移動局信号受信部
１３  無線制御装置信号送信部
１４  無線制御装置信号受信部
１５  下り送信電力制御部
１６  移動局信号送信部
１７  加算値付加部
１８、３９  コード管理部
２０−１、２０−２、２０−３  セル
３０  無線制御装置
３１  基地局信号受信部
３３  主セル判定部
３４  基準値決定部
３５  基地局信号送信部
３７  オフセット値決定部
３８  オフセット値付加部
５０−１、５０−２、５０−３  移動局
【図１】
2004266781.tif 000003
【図２】
2004266781.tif 000004
【図３】
2004266781.tif 000005
【図４】
2004266781.tif 000006
【図５】
2004266781.tif 000007
【図６】
2004266781.tif 000008
【図７】
2004266781.tif 000009
【図８】
2004266781.tif 000010
【図９】
2004266781.tif 000011